【手続補正書】
【提出日】平成24年6月25日(2012.6.25)
【手続補正１】
【補正対象書類名】明細書
【補正対象項目名】０００６
【補正方法】変更
【補正の内容】
【０００６】
この目的を達成するために、請求項１記載の遊技機は、円筒状に形成され軸心を中心として回転可能に構成される複数のリールと、それら複数のリールを独立して回転駆動する回転駆動手段とを有し、その回転駆動手段によって前記複数のリールを回転駆動することにより、前記複数のリールの外周面にそれぞれ付された複数の識別情報を動的表示するリールユニットを備えるものであって、前記複数のリールは、第１リール枠によって骨格が形成される第１リールと、第２リール枠によって骨格が形成され前記第１リールと隣り合って配置される第２リールとを備え、前記回転駆動手段は、前記第１リールを回転駆動する第１モータを備え、前記第１リール枠は、前記第１モータの回転軸が連結される連結部が中心部に形成され、その連結部は、前記第２リール枠と対面する側面とは反対側の側面が開放されると共に前記第１モータの外形よりも大きい内部空間を有する中空状に形成され前記内部空間に前記第１モータを収容可能に構成されており、前記連結部の開放された側面から前記内部空間に前記第１モータが収容されることにより、前記第１モータが前記第１リール枠の枠内に配置され、前記第２リール枠は、収容部が中心部に形成され、その収容部は、前記第１リール枠と対面する側面が開放されると共に前記第１リール枠の連結部の外形よりも大きい内部空間を有する中空状に形成され前記内部空間に前記第１リール枠の連結部を収容可能に構成されており、前記第１リール枠の連結部が前記収容部の開放された側面から前記内部空間に収容されることにより、前記第１リール枠の連結部が前記第２リール枠の収容部に重ね合わされた状態で配置される。
【手続補正２】
【補正対象書類名】明細書
【補正対象項目名】０００７
【補正方法】変更
【補正の内容】
【０００７】
請求項２記載の遊技機は、請求項１記載の遊技機において、前記第１リール枠は、前記第２リール枠と対面する側面が開放されると共に、前記第２リール枠は、前記第１リール枠の内径よりも外径が小さくされ前記第１リール枠の枠内に収容可能に形成される被収容部を備えており、前記第１リール枠の開放された側面から前記第１リール枠の枠内に前記第２リール枠の被収容部が収容されることにより、前記第２リール枠の被収容部が前記第１リール枠の枠内に重ね合わされた状態で配置される。
【手続補正３】
【補正対象書類名】明細書
【補正対象項目名】０００８
【補正方法】変更
【補正の内容】
【０００８】
請求項３記載の遊技機は、請求項１又は２に記載の遊技機において、前記第２リール枠の枠内であって前記被収容部と対応する位置に配置され前記第１リールの外周面に内側から光を照射する第１照射手段を備え、前記第２リール枠は、前記被収容部が面状に形成され前記第１照射手段の光を一様に透過可能に構成されている。
【手続補正４】
【補正対象書類名】明細書
【補正対象項目名】０００９
【補正方法】変更
【補正の内容】
【０００９】
請求項４記載の遊技機は、請求項３記載の遊技機において、前記第１照射手段が取り付けられる照射手段取付部材と、前記第２リール枠の枠内に配置され前記第２リールの外周面に内側から光を照射する第２照射手段とを備え、その第２照射手段は、前記第１照射手段と共に前記照射手段取付部材に取り付けられる。
【手続補正５】
【補正対象書類名】明細書
【補正対象項目名】００１０
【補正方法】変更
【補正の内容】
【００１０】
請求項１記載の遊技機によれば、第１モータを第１リール枠の枠内に配置できるので、第１リールと第１モータとを横並びに配置する場合と比較して、スペース上、第１モータを効率良く配置できるという効果がある。また、第２リール枠と対面する側面とは反対側の側面から第１リール枠の枠内に第１モータを配置することにより、第１モータをリールユニットの外部へ向けて配置できるので、第１モータから発せられる熱を効率良く放熱できるという効果がある。
【手続補正６】
【補正対象書類名】明細書
【補正対象項目名】００１１
【補正方法】変更
【補正の内容】
【００１１】
また、第１リールと第２リールとを隣り合って配置するにあたり、第１リール枠の連結部を第２リール枠の収容部に重ね合わせて配置できるので、第１リール枠に連結部を有する構造にあっても、第２リール枠の被収容部を第１リール枠の枠内に深く収容できる。よって、その分、第２リール枠の被収容部を第１リール枠の枠内に大きく重ね合わせることができ、第１リール枠および第２リール枠の枠内に大きなスペースを確保できるという効果がある。

【手続補正７】
【補正対象書類名】明細書
【補正対象項目名】００１２
【補正方法】変更
【補正の内容】
【００１２】
請求項２記載の遊技機によれば、請求項１記載の遊技機の奏する効果に加え、第１リール枠は、第２リール枠と対面する側面が開放されると共に、第２リール枠は、第１リール枠の内径よりも外径が小さくされ第１リール枠の枠内に収容可能に形成される被収容部を備えており、第１リール枠の開放された側面から第１リール枠の枠内に第２リール枠の被収容部が収容されることにより、第２リール枠の被収容部が第１リール枠の枠内に重ね合わされた状態で配置される。よって、第１リールと第２リールとを隣り合って配置するにあたり、第２リール枠の被収容部を第１リール枠の枠内に重ね合わせて配置できるので、第１リール枠および第２リール枠の枠内に連続する一体的なスペースを確保できる。また、連続する一体的なスペースを確保できるので、各リール枠の枠内に独立したスペースを確保する場合と比較して、より大きなスペースを確保できる。
その結果、第１リール枠および第２リール枠の枠内に確保されたスペースに各種部品を配置できるので、それら各種部品を機内の他のスペースに配置する場合と比較して、スペース上、各種部品を効率良く配置できる。また、各種部品を機内の他のスペースに配置すると、その分、制御装置や払い出し装置などの各種装置を配置するためのスペースが減少して、設計自由度が制約されてしまうところ、各リール枠の枠内に各種部品を配置することにより、機内のスペースを確保して、設計自由度の向上を図ることができるという効果がある。よって、遊技の更なる興趣向上を図るために各リールの外周面に付された識別情報の視認性を高めるべく、リールユニットの大型化を図ることができる。

【手続補正８】
【補正対象書類名】明細書
【補正対象項目名】００１３
【補正方法】変更
【補正の内容】
【００１３】
請求項３記載の遊技機によれば、請求項１又は２に記載の遊技機の奏する効果に加え、第２リール枠は、被収容部が面状に形成され第１照射手段の光を一様に透過可能に構成されているので、第２リールの回転時に、被収容部を透過した第１照射手段の光を一定の点灯した状態で遊技者に視認させることができるという効果がある。即ち、第２リール枠の枠内であって被収容部と対応する位置に配置された第１照射手段によって第１リールの外周面に内側から光を照射する構造にあっては、例えば、被収容部を梯子状に形成すると、第２リールの回転時に、第１照射手段の光が被収容部によって定期的に遮られ、かかる光が点滅しているかのように遊技者に視認される。これに対し、被収容部を面状に形成して第１照射手段の光を一様に透過可能に構成することにより、第２リールの回転時であっても、第１照射手段の光を被収容部によって遮ることなく、被収容部を透過した第１照射手段の光を一定の点灯した状態で遊技者に視認させることができる。

【手続補正９】
【補正対象書類名】明細書
【補正対象項目名】００１４
【補正方法】変更
【補正の内容】
【００１４】
請求項４記載の遊技機によれば、請求項３記載の遊技機の奏する効果に加え、第１照射手段と第２照射手段とを一括して照射手段取付部材に取り付けできるので、各照射手段の電気配線を照射手段取付部材の１か所に集約でき、各照射手段への配線を簡素化できるという効果がある。
【手続補正１０】
【補正対象書類名】特許請求の範囲
【補正対象項目名】全文
【補正方法】変更
【補正の内容】
【特許請求の範囲】
【請求項１】
円筒状に形成され軸心を中心として回転可能に構成される複数のリールと、それら複数のリールを独立して回転駆動する回転駆動手段とを有し、その回転駆動手段によって前記複数のリールを回転駆動することにより、前記複数のリールの外周面にそれぞれ付された複数の識別情報を動的表示するリールユニットを備えた遊技機であって、
前記複数のリールは、第１リール枠によって骨格が形成される第１リールと、第２リール枠によって骨格が形成され前記第１リールと隣り合って配置される第２リールとを備え、
前記回転駆動手段は、前記第１リールを回転駆動する第１モータを備え、
前記第１リール枠は、前記第１モータの回転軸が連結される連結部が中心部に形成され、その連結部は、前記第２リール枠と対面する側面とは反対側の側面が開放されると共に前記第１モータの外形よりも大きい内部空間を有する中空状に形成され前記内部空間に前記第１モータを収容可能に構成されており、
前記連結部の開放された側面から前記内部空間に前記第１モータが収容されることにより、前記第１モータが前記第１リール枠の枠内に配置され、
前記第２リール枠は、収容部が中心部に形成され、その収容部は、前記第１リール枠と対面する側面が開放されると共に前記第１リール枠の連結部の外形よりも大きい内部空間を有する中空状に形成され前記内部空間に前記第１リール枠の連結部を収容可能に構成されており、
前記第１リール枠の連結部が前記収容部の開放された側面から前記内部空間に収容されることにより、前記第１リール枠の連結部が前記第２リール枠の収容部に重ね合わされた状態で配置されることを特徴とする遊技機。
【請求項２】
前記第１リール枠は、前記第２リール枠と対面する側面が開放されると共に、前記第２リール枠は、前記第１リール枠の内径よりも外径が小さくされ前記第１リール枠の枠内に収容可能に形成される被収容部を備えており、
前記第１リール枠の開放された側面から前記第１リール枠の枠内に前記第２リール枠の被収容部が収容されることにより、前記第２リール枠の被収容部が前記第１リール枠の枠内に重ね合わされた状態で配置されることを特徴とする請求項１記載の遊技機。
【請求項３】
前記第２リール枠の枠内であって前記被収容部と対応する位置に配置され前記第１リールの外周面に内側から光を照射する第１照射手段を備え、
前記第２リール枠は、前記被収容部が面状に形成され前記第１照射手段の光を一様に透過可能に構成されていることを特徴とする請求項１又は２に記載の遊技機。
【請求項４】
前記第１照射手段が取り付けられる照射手段取付部材と、前記第２リール枠の枠内に配置され前記第２リールの外周面に内側から光を照射する第２照射手段とを備え、その第２照射手段は、前記第１照射手段と共に前記照射手段取付部材に取り付けられることを特徴とする請求項３記載の遊技機。